(57)【特許請求の範囲】
【請求項１】
処方箋の表示を制御するサーバ装置であって、
第１の端末および第２の端末と情報の送受信を行う通信部と、
前記情報を記憶する記憶部と、
前記通信部および前記記憶部を制御する制御部と、を備え、
前記制御部は、
前記通信部が前記第１の端末から、前記処方箋に付されたコードの変換により得られた、前記処方箋の内容を示す文字情報と、前記処方箋で指定された薬剤を服用する患者を識別可能な患者識別情報と、前記患者により選択された前記薬剤の調剤を行う薬局を識別可能な薬局識別情報とを受信した場合、前記文字情報をコードに変換し、該コードを示すコード情報と、前記患者識別情報と、前記薬局識別情報とを対応付けて前記記憶部に記憶させ、
前記第２の端末から前記患者識別情報および前記薬局識別情報を受信した場合、該患者識別情報および該薬局識別情報に対応する前記コード情報を前記記憶部から読み出し、該コード情報を前記第２の端末へ送信するように前記通信部を制御する、
サーバ装置。
【請求項２】
前記記憶部は、
予め定められた一部の薬局を識別可能な薬局識別情報を含む薬局リストを記憶し、
前記制御部は、
前記第１の端末から受信した前記薬局識別情報が前記薬局リストに含まれている場合、該薬局識別情報とともに受信した前記文字情報を前記コードに変換する、
請求項１に記載のサーバ装置。
【請求項３】
前記薬局リストは、前記コードの読取部を備えた前記第２の端末が設置された薬局を識別可能な薬局識別情報を含む、
請求項２に記載のサーバ装置。
【請求項４】
前記制御部は、
前記第１の端末から受信した前記薬局識別情報が前記薬局リストに含まれていない場合、該薬局識別情報とともに受信した前記文字情報と、該薬局識別情報と、前記患者識別情報とを対応付けて前記記憶部に記憶させ、
前記第２の端末から前記患者識別情報および前記薬局識別情報を受信した場合、該患者識別情報および該薬局識別情報に対応する前記文字情報を前記記憶部から読み出し、該文字情報を前記第２の端末へ送信するように前記通信部を制御する、
請求項２又は３に記載のサーバ装置。
【請求項５】
前記記憶部は、
予め定められた一部の薬局を識別可能な薬局識別情報を含む薬局リストを記憶し、
前記制御部は、
前記第１の端末から受信した前記薬局識別情報が前記薬局リストに含まれていない場合、該薬局識別情報とともに受信した前記文字情報を前記コードに変換する、
請求項１に記載のサーバ装置。
【請求項６】
前記薬局リストは、前記コードの読取部を備えた前記第２の端末が設置されていない薬局を識別可能な薬局識別情報を含む、請求項５に記載のサーバ装置。
【請求項７】
前記制御部は、
前記第１の端末から受信した前記薬局識別情報が前記薬局リストに含まれている場合、該薬局識別情報とともに受信した前記文字情報と、該薬局識別情報と、前記患者識別情報とを対応付けて前記記憶部に記憶させ、
前記第２の端末から前記患者識別情報および前記薬局識別情報を受信した場合、該患者識別情報および該薬局識別情報に対応する前記文字情報を前記記憶部から読み出し、該文字情報を前記第２の端末へ送信するように前記通信部を制御する、
請求項５又は６に記載のサーバ装置。
【請求項８】
前記第２の端末は、前記コード情報を受信する端末と、前記読取部を備えた端末とから構成される、
請求項３又は６に記載のサーバ装置。
【請求項９】
前記第２の端末は、
前記コード情報を受信し、前記コードの読取部を備える一つの端末である、
請求項３又は６に記載のサーバ装置。
【請求項１０】
サーバ装置が第１の端末および第２の端末と情報の送受信を行って処方箋の表示を制御する装置が行う表示制御方法であって、
前記第１の端末から、前記処方箋に付されたコードの変換により得られた、該処方箋の内容を示す文字情報と、前記処方箋で指定された薬剤を服用する患者を識別可能な患者識別情報と、前記患者により選択された前記薬剤の調剤を行う薬局を識別可能な薬局識別情報とを受信するステップと、
前記文字情報をコードに変換し、該コードを示すコード情報と、前記患者識別情報と、前記薬局識別情報とを対応付けて所定の記憶部に記憶させるステップと、
前記第２の端末から前記患者識別情報および前記薬局識別情報を受信した場合、該患者識別情報および該薬局識別情報に対応する前記コード情報を前記記憶部から読み出し、該コード情報を前記第２の端末へ送信するステップと、を含む、
表示制御方法。
【請求項１１】
第１の端末および第２の端末と情報の送受信を行って処方箋の表示を制御するコンピュータに実行させる表示制御プログラムであって、
前記第１の端末から、前記処方箋に付されたコードの変換により得られた、該処方箋の内容を示す文字情報と、前記処方箋で指定された薬剤を服用する患者を識別可能な患者識別情報と、前記患者により選択された前記薬剤の調剤を行う薬局を識別可能な薬局識別情報とを受信した場合、前記文字情報をコードに変換し、該コードを示すコード情報と、前記患者識別情報と、前記薬局識別情報とを対応付けて所定の記憶部に記憶させる処理と、
前記第２の端末から前記患者識別情報および前記薬局識別情報を受信した場合、該患者識別情報および該薬局識別情報に対応する前記コード情報を前記記憶部から読み出し、該コード情報を前記第２の端末へ送信するように制御する処理と、をコンピュータに実行させる、
表示制御プログラム。
【発明の詳細な説明】
【技術分野】
【０００１】
本発明は、処方箋の表示を制御するサーバ装置、表示制御方法、および、表示制御プログラムに関する。
【背景技術】
【０００２】
例えば特許文献１には、患者が医療機関で発行された処方箋を端末装置（例えば、スマートフォン）で撮影し、撮影した処方箋の画像を薬局へ送信し、その画像が薬局の端末装置（例えば、パーソナルコンピュータ）に表示される技術が開示されている。これにより、薬剤師は、患者が来る前に処方箋に基づいて調剤を行うことができ、患者は、薬局での待ち時間を短縮できるとしている。
【先行技術文献】
【特許文献】
【０００３】
【特許文献１】特開２００５−１３７４４３号公報
【発明の概要】
【発明が解決しようとする課題】
【０００４】
しかしながら、特許文献１の技術では、撮影された処方箋の画像が、鮮明でなかったり、部分的に途切れていたりした場合、薬剤師は、処方箋の内容を正確に把握できず、調剤を行うことができない、という問題がある。
【０００５】
本発明の目的は、薬局が処方箋の内容を正確に把握できるようにすることである。
【課題を解決するための手段】
【０００６】
本発明のサーバ装置は、処方箋の表示を制御するサーバ装置であって、第１の端末および第２の端末と情報の送受信を行う通信部と、前記情報を記憶する記憶部と、前記通信部および前記記憶部を制御する制御部と、を備え、前記制御部は、前記通信部が前記第１の端末から、前記処方箋に付されたコードの変換により得られた、前記処方箋の内容を示す文字情報と、前記処方箋で指定された薬剤を服用する患者を識別可能な患者識別情報と、前記患者により選択された前記薬剤の調剤を行う薬局を識別可能な薬局識別情報とを受信した場合、前記文字情報をコードに変換し、該コードを示すコード情報と、前記患者識別情報と、前記薬局識別情報とを対応付けて前記記憶部に記憶させ、前記第２の端末から前記患者識別情報および前記薬局識別情報を受信した場合、該患者識別情報および該薬局識別情報に対応する前記コード情報を前記記憶部から読み出し、該コード情報を前記第２の端末へ送信するように前記通信部を制御する構成を採る。
【０００８】
本発明の表示制御方法は、サーバ装置が第１の端末および第２の端末と情報の送受信を行って処方箋の表示を制御する装置が行う表示制御方法であって、前記第１の端末から、前記処方箋に付されたコードの変換により得られた、該処方箋の内容を示す文字情報と、前記処方箋で指定された薬剤を服用する患者を識別可能な患者識別情報と、前記患者により選択された前記薬剤の調剤を行う薬局を識別可能な薬局識別情報とを受信するステップと、前記文字情報をコードに変換し、該コードを示すコード情報と、前記患者識別情報と、前記薬局識別情報とを対応付けて所定の記憶部に記憶させるステップと、前記第２の端末から前記患者識別情報および前記薬局識別情報を受信した場合、該患者識別情報および該薬局識別情報に対応する前記コード情報を前記記憶部から読み出し、該コード情報を前記第２の端末へ送信するステップと、を含むようにした。
【０００９】
本発明の表示制御プログラムは、第１の端末および第２の端末と情報の送受信を行って処方箋の表示を制御するコンピュータに実行させる表示制御プログラムであって、前記第１の端末から、前記処方箋に付されたコードの変換により得られた、該処方箋の内容を示す文字情報と、前記処方箋で指定された薬剤を服用する患者を識別可能な患者識別情報と、前記患者により選択された前記薬剤の調剤を行う薬局を識別可能な薬局識別情報とを受信した場合、前記文字情報をコードに変換し、該コードを示すコード情報と、前記患者識別情報と、前記薬局識別情報とを対応付けて所定の記憶部に記憶させる処理と、前記第２の端末から前記患者識別情報および前記薬局識別情報を受信した場合、該患者識別情報および該薬局識別情報に対応する前記コード情報を前記記憶部から読み出し、該コード情報を前記第２の端末へ送信するように制御する処理と、をコンピュータに実行させるようにした。
【発明の効果】
【００１０】
本発明によれば、薬局は処方箋の内容を正確に把握できる。
【図面の簡単な説明】
【００１１】
【図１】本発明の実施の形態に係る処方箋表示システムの構成の一例を示す図
【図２】本発明の実施の形態に係る患者端末の構成の一例を示す図
【図３】本発明の実施の形態に係るサーバ装置の構成の一例を示す図
【図４】本発明の実施の形態に係る薬局リストの一例を示す図
【図５】本発明の実施の形態に係る薬局端末の構成の一例を示す図
【図６】本発明の実施の形態に係る患者端末の動作の一例を示す図
【図７】本発明の実施の形態に係るサーバ装置の動作の一例を示す図
【図８】本発明の実施の形態に係る薬局端末の動作の一例を示す図
【図９】本発明の実施の形態に係る薬局装置の予約一覧画面の一例を示す図
【図１０】本発明の実施の形態に係る薬局端末の処方箋表示画面の一例を示す図
【図１１】本発明の実施の形態に係る端末装置の二次元バーコード表示画面の一例を示す図
【発明を実施するための形態】
【００１２】
以下、本発明の実施の形態について、図面を参照して詳細に説明する。なお、以下に説明する実施の形態は一例であり、本発明はこの実施の形態により限定されるものではない。
【００１３】
＜処方箋表示システムの構成＞
まず、本発明の実施の形態に係る処方箋表示システム１の構成について、図１を用いて説明する。図１は、本実施の形態に係る処方箋表示システム１の構成の一例を示す図である。
【００１４】
処方箋表示システム１は、患者端末１０、サーバ装置１１、薬局端末１２を有する。
【００１５】
患者端末１０（第１の端末の一例）は、例えば、患者によって使用される装置（例えば、パーソナルコンピュータ、スマートフォン、タブレット等）である。本実施の形態では、患者端末１０を使用する患者は、例えば、医療機関（例えば、病院）から処方箋を受け取り、その処方箋を所望の薬局に事前に通知することで調剤の予約を行い、薬局から受け取った薬剤（医薬品）を服用する者とする。
【００１６】
サーバ装置１１は、例えば、専用アプリケーション２０２（図２参照）を提供する事業者によって運用、管理される装置である。専用アプリケーション２０２とは、患者端末１０で動作するアプリケーションソフトウェアである。
【００１７】
専用アプリケーション２０２は、紙などの処方箋に付された（例えば、処方箋に印刷された）二次元バーコードを読み取る機能と、読み取った二次元バーコードをデコードして処方箋の内容を示す文字列の情報（以下、文字情報という）に変換する機能と、変換した文字情報をサーバ装置１１へ送信する機能と、を備えたアプリケーションソフトウェアである。なお、専用アプリケーション２０２は、上記機能の他に、例えば、患者が服薬履歴を閲覧できる機能などを備えてもよい。
【００１８】
このように本実施の形態では、二次元バーコードは処方箋の内容を示す情報を含んでおり、その二次元バーコードをデコードして得られる文字情報は、処方箋の内容として、例えば、処方箋を発行した医療機関名、処方箋が発行された年月日、処方された薬剤（以下、処方薬剤という）の名称、処方薬剤の１回あたりの服用量、処方薬剤の量、処方薬剤の服用方法などを示す文字列を含む。なお、本実施の形態では、例として、処方箋に付されたコードを二次元バーコードとして説明するが、二次元バーコードに限定されず、その他のコードであってもよい。
【００１９】
薬局端末１２（第２の端末の一例）は、薬局に設置され、薬局の関係者（以下、薬剤師を例とする）によって使用される装置（例えば、パーソナルコンピュータ、スマートフォン、タブレット等）である。また、本実施の形態において、薬局には、薬局端末１２とは別に端末装置（以下、レセコンという）が備えられているとする。
【００２０】
患者端末１０とサーバ装置１１は、所定のネットワークを介して通信を行う。また、薬局端末１２とサーバ装置１１は、所定のネットワークを介して通信を行う。所定のネットワークは、有線ネットワーク、無線ネットワーク、または、有線ネットワークと無線ネットワークとが混在したネットワークのいずれであってもよい。
【００２１】
＜患者端末の構成＞
次に、本発明の実施の形態に係る患者端末１０の構成について、図２を用いて説明する。図２は、本実施の形態に係る患者端末１０の構成の一例を示す図である。
【００２２】
図２に示すように、患者端末１０は、入力部１０１、通信部１０２、表示部１０３、記憶部１０４、制御部１０５、撮像部１０６を有する。
【００２３】
入力部１０１は、例えば、タッチパネル、キーボード、またはマウスなどの入力装置である。入力部１０１は、患者の操作を受け付け、受け付けた操作の内容を制御部１０５に出力する。
【００２４】
例えば、入力部１０１は、記憶部１０４に記憶されている専用アプリケーション２０２の起動を指示する操作や、処方箋の二次元バーコードの撮影を指示する操作、二次元バーコードのデコードにより得られた文字情報のサーバ装置１１への送信を指示する操作、所望の薬局を選択する操作などを受け付ける。
【００２５】
通信部１０２は、アンテナ、送信回路、受信回路などを含む通信装置である。通信部１０２は、制御部１０５の制御により、サーバ装置１１と所定のネットワークを介して情報の送受信を行う。
【００２６】
例えば、通信部１０２は、上述した文字情報、患者により選択された薬局を識別可能な薬局識別情報２０４（図４参照）、患者を識別可能な患者識別情報２０１をサーバ装置１１へ送信する。薬局識別情報２０４は、図４に示すように、例えば、５桁の数字で構成される。なお、図４の詳細は後述する。また、図示は省略するが、患者識別情報２０１も、例えば、所定桁数の数字で構成される。なお、薬局識別情報２０４および患者識別情報２０１は、数字に限定されず、文字または記号で構成されてもよいし、または、数字、文字、記号の組み合わせで構成されてもよい。
【００２７】
表示部１０３は、ディスプレイなどの表示装置である。表示部１０３は、制御部１０５の制御により、情報の表示を行う。
【００２８】
例えば、表示部１０３は、専用アプリケーション２０２のユーザインタフェース（例えば、ユーザによる各種操作を受け付け可能な表示画面）を表示する。
【００２９】
記憶部１０４は、メモリまたはハードディスク装置などの記憶デバイスであり、情報を記憶する。
【００３０】
例えば、記憶部１０４は、図２に示すように、患者識別情報２０１、専用アプリケーション２０２を記憶する。患者識別情報２０１は、上述したとおり、患者を識別可能な情報である。また、専用アプリケーション２０２は、上述したとおり、患者端末１０で動作し、処方箋に付された二次元バーコードを読み取り、読み取った二次元バーコードをデコードして文字情報に変換し、変換した文字情報をサーバ装置１１へ送信する機能などを備えたアプリケーションソフトウェアである。
【００３１】
撮像部１０６は、カメラモジュールなどの撮像デバイスである。
【００３２】
例えば、撮像部１０６は、処方箋に付された二次元バーコードを読み取る。
【００３３】
制御部１０５は、プロセッサなどの制御デバイスであり、患者端末１０が行う各処理を制御する。制御部１０５による制御の詳細については、図６を用いて後述する。
【００３４】
＜サーバ装置の構成＞
次に、本発明の実施の形態に係るサーバ装置１１の構成について、図３を用いて説明する。図３は、本実施の形態に係るサーバ装置１１の構成の一例を示す図である。
【００３５】
図３に示すように、サーバ装置１１は、通信部１１２、記憶部１１４、制御部１１５を有する。
【００３６】
通信部１１２は、送信回路、受信回路などを含む通信装置である。通信部１１２は、制御部１１５の制御により、患者端末１０、薬局端末１２と所定のネットワークを介して情報の送受信を行う。
【００３７】
例えば、通信部１１２は、患者端末１０から送信された文字情報、薬局識別情報２０４、患者識別情報２０１を受信する。
【００３８】
また、例えば、通信部１１２は、薬局端末１２から受信したログイン要求に応じて予約一覧画面情報を薬局端末１２へ送信する。予約一覧画面情報とは、薬局端末１２において予約一覧画面の生成、表示に用いられる情報である。予約一覧画面とは、調剤の予約を行った来局予定の患者の一覧を示す画面である（図９参照）。なお、図９の詳細については後述する。
【００３９】
また、例えば、通信部１１２は、薬局端末１２から受信した処方箋表示要求に応じて文字情報または二次元バーコード情報を薬局端末１２へ送信する。ここでの文字情報は、サーバ装置１１が患者端末１０から受信した文字情報である。また、二次元バーコード情報とは、サーバ装置１１が患者端末１０から受信した文字情報をエンコードして変換した二次元バーコードを示す情報である。
【００４０】
記憶部１１４は、メモリまたはハードディスク装置などの記憶デバイスであり、種々の情報を記憶する。
【００４１】
例えば、記憶部１１４は、通信部１１２が患者端末１０から受信した文字情報と、通信部１１２が患者端末１０から受信した薬局識別情報２０４と、通信部１１２が患者端末１０から受信した患者識別情報２０１とを対応付けて記憶する。または、例えば、記憶部１１４は、通信部１１２が患者端末１０から受信した薬局識別情報２０４と、通信部１１２が患者端末１０から受信した患者識別情報２０１と、通信部１１２が患者端末１０から受信した文字情報をエンコードして変換された二次元バーコードを示す二次元バーコード情報とを対応付けて記憶する。
【００４２】
また、例えば、記憶部１１４は、通信部１１２が薬局端末１０からログイン要求とともに受信した薬局識別情報２０４や、通信部１１２が薬局端末１０から処方箋表示要求とともに受信した患者識別情報２０１を記憶する。
【００４３】
また、例えば、記憶部１１４は、図３に示すように、薬局リスト２０３を記憶する。ここで、図４を用いて薬局リスト２０３について説明する。図４は、薬局リスト２０３の一例を示す図である。
【００４４】
薬局リスト２０３は、図４に示すように、薬局識別情報２０４を含む。薬局リスト２０３に含まれる薬局識別情報２０４が示す薬局は、例えば、二次元バーコードの読取部（以下、単に読取部ともいう）を備えているレセコンが設置されている薬局である。
【００４５】
図３の説明に戻る。制御部１１５は、プロセッサなどの制御デバイスであり、サーバ装置１１が行う各処理を制御する。制御部１１５による制御の詳細については、図７を用いて後述する。
【００４６】
＜薬局端末の構成＞
次に、本発明の実施の形態に係る薬局端末１２の構成について、図５を用いて説明する。図５は、本実施の形態に係る薬局端末１２の構成の一例を示す図である。
【００４７】
図５に示すように、薬局端末１２は、入力部１２１、通信部１２２、表示部１２３、記憶部１２４、制御部１２５を有する。
【００４８】
入力部１２１は、例えば、タッチパネル、キーボード、またはマウスなどの入力装置である。入力部１２１は、薬剤師の操作を受け付け、受け付けた操作の内容の情報を制御部１２５に出力する。
【００４９】
例えば、入力部１２１は、サーバ装置１１へのログインを要求する操作や、所定の患者の処方箋の表示を要求する操作などを受け付ける。
【００５０】
通信部１２２は、送信回路、受信回路などを含む通信装置である。通信部１２２は、制御部１２５の制御により、サーバ装置１１と所定のネットワークを介して情報の送受信を行う。
【００５１】
例えば、通信部１２２は、ログイン要求とともに薬局識別情報２０４をサーバ装置１１へ送信する。また、例えば、通信部１２２は、処方箋表示要求とともに患者識別情報２０１をサーバ装置１１へ送信する。
【００５２】
また、例えば、通信部１２２は、サーバ装置１１から上述した予約一覧画面情報を受信する。また、例えば、通信部１２２は、サーバ装置１１から文字情報または二次元バーコード情報を受信する。
【００５３】
表示部１２３は、ディスプレイなどの表示装置である。表示部１２３は、制御部１２５の制御により、情報の表示を行う。
【００５４】
例えば、表示部１２３は、上述した予約一覧画面（図９参照）、処方箋の内容を示す処方箋表示画面（図１０参照）、二次元バーコードを示す二次元バーコード表示画面（図１１参照）を表示する。これらの画面の詳細は後述する。
【００５５】
記憶部１２４は、メモリまたはハードディスク装置などの記憶デバイスであり、種々の情報を記憶する。
【００５６】
例えば、記憶部１２４は、サーバ装置１１から受信した予約一覧画面情報を記憶する。また、例えば、記憶部１２４は、サーバ装置１１から受信した文字情報または二次元バーコード情報を記憶する。
【００５７】
また、例えば、記憶部１２４は、図５に示すように、薬局識別情報２０４を記憶する。ここでの薬局識別情報２０４は、薬局端末１２が設置された薬局を示す情報である。
【００５８】
制御部１２５は、プロセッサなどの制御デバイスであり、薬局端末１２が行う各処理を制御する。制御部１２５による制御の詳細については、図８を用いて後述する。
【００５９】
以上、薬局端末１２の構成について説明したが、上述したとおり、本実施の形態では、薬局において、薬局端末１２とは別にレセコンが備えられているとする。レセコンは、薬局端末１２と同様、入力部、通信部、表示部、記憶部、制御部を備える。本実施の形態では、読取部を備えているレセコンが設置されている薬局と、読取部を備えていないレセコンが設置されている薬局があるとする。読取部は、スキャナ、カメラなどの既存の読取デバイスであり、薬局端末１２の表示部１２３に表示された二次元バーコードの読み取りに用いられる。
【００６０】
＜患者端末の動作＞
次に、本発明の実施の形態に係る患者端末１０の動作について、図６を用いて説明する。図６は、患者端末１０の動作の一例を示す図である。
【００６１】
まず、患者端末１０の制御部１０５は、専用アプリケーション２０２の起動を指示する操作を入力部１０１が受け付けると、記憶部１０４から専用アプリケーション２０２を読み出し、専用アプリケーション２０２を起動する（ステップＳ１１）。
【００６２】
専用アプリケーション２０２の起動後、制御部１０５は、例えば、専用アプリケーション２０２のメニューを患者が選択できるメニュー画面（図示略）を表示するように表示部１０３を制御する。これにより、表示部１０３は、メニュー画面を表示する。ここで、患者は、調剤の予約を選択する操作を行う。
【００６３】
次に、制御部１０５は、調剤の予約を選択する操作を入力部１０１が受け付けると、撮像部１０６を起動する（ステップＳ１２）。
【００６４】
撮像部１０６の起動後、患者は、医療機関から受け取った処方箋に印刷された二次元バーコードを撮影する操作を行う。
【００６５】
次に、撮像部１０６は、二次元バーコードを撮影する操作を入力部１０１が受け付けると、二次元バーコードを読み取る（ステップＳ１３）。
【００６６】
次に、制御部１０５は、撮像部１０６により読み取られた二次元バーコードをデコードし、文字情報に変換する（ステップＳ１４）。
【００６７】
ここで、制御部１０５は、例えば、薬局識別情報２０４の入力を受け付ける入力欄を含む入力受付画面（図示略）を表示するように表示部１０３を制御する。これにより、表示部１０３は、入力受付画面を表示する。ここで、患者は、所望の薬局の薬局識別情報２０４を入力欄に入力する操作を行う。例えば、医療機関は、処方箋を患者に渡す際に複数の薬局識別情報２０４を患者に通知し、患者は、通知された複数の薬局識別情報２０４の中から所望の薬局を示す薬局識別情報２０４を選択し、入力欄に入力する。そして、患者は、文字情報のサーバ装置１１への送信を指示する操作を行う。
【００６８】
なお、ここでは、患者が薬局識別情報２０４を直接入力する例を挙げたが、表示部１０３に複数の薬局の名称などを表示し、その中から患者が所望の薬局を選択できるようにしてもよい。その場合、記憶部１０４は、薬局の名称ごとに薬局識別情報２０４を記憶しており、制御部１０５は、選択された薬局に対応する薬局識別情報２０４を記憶部１０４から取得する。
【００６９】
次に、制御部１０５は、記憶部１０４から患者識別情報２０１を読み出し、その患者識別情報２０１、二次元バーコードから変換した文字情報、患者が入力した薬局識別情報２０４をサーバ装置１１へ送信するように通信部１０２を制御する。これにより、通信部１０２は、患者識別情報２０１、文字情報、薬局識別情報２０４をサーバ装置１１へ送信する（ステップＳ１５）。
【００７０】
＜サーバ装置の動作＞
次に、本発明の実施の形態に係るサーバ装置１１の動作について、図７を用いて説明する。図７は、サーバ装置１１の動作の一例を示す図である。
【００７１】
まず、サーバ装置１１の通信部１１２は、患者端末１０から、患者識別情報２０１、文字情報、薬局識別情報２０４を受信する（ステップＳ２１）。ここで受信される各情報は、図６のステップＳ１５で説明した情報である。
【００７２】
次に、制御部１１５は、記憶部１１４から薬局リスト２０３を読み出し、患者端末１０から受信した薬局識別情報２０４が薬局リスト２０３に登録されているか否かを判定する（ステップＳ２２）。
【００７３】
ステップＳ２２の判定の結果、薬局識別情報２０４が薬局リスト２０３に登録されていない場合（ステップＳ２２：ＮＯ）、制御部１１５は、患者端末１０から受信した文字情報と、患者端末１０から受信した患者識別情報２０１と、患者端末１０から受信した薬局識別情報２０４とを対応付けて記憶部１１４に記憶させる（ステップＳ２３）。その後、フローは、後述するステップＳ２６へ進む。
【００７４】
一方、ステップＳ２２の判定の結果、患者端末１０から受信した薬局識別情報２０４が薬局リスト２０３に登録されている場合（ステップＳ２２：ＹＥＳ）、制御部１１５は、患者端末１０から受信した文字情報をエンコードし、二次元バーコードに変換する（ステップＳ２４）。
【００７５】
次に、制御部１１５は、変換した二次元バーコードを示す二次元バーコード情報と、患者端末１０から受信した患者識別情報２０１と、患者端末１０から受信した薬局識別情報２０４とを対応付けて記憶部１１４に記憶させる（ステップＳ２５）。
【００７６】
次に、制御部１１５は、通信部１１２が薬局端末１２から薬局識別情報２０４を含むログイン要求を受信したか否かを判定し（ステップＳ２６）、通信部１１２が薬局端末１２からログイン要求を受信するまで待機する（ステップＳ２６：ＮＯ）。
【００７７】
通信部１１２が薬局端末１２から薬局識別情報２０４を含むログイン要求を受信した場合（ステップＳ２６：ＹＥＳ）、制御部１１５は、記憶部１１４から、薬局端末１２から受信した薬局識別情報２０４に対応付けられている患者識別情報２０１を全て読み出す。そして、制御部１１５は、読み出した患者識別情報２０１を含む予約一覧画面情報を生成し、生成した予約一覧画面情報を薬局端末１２へ送信するように通信部１１２を制御する。これにより、通信部１１２は、予約一覧画面情報を薬局端末１２へ送信する（ステップＳ２７）。
【００７８】
次に、制御部１１５は、通信部１１２が薬局端末１２から患者識別情報２０１を含む処方箋表示要求を受信したか否かを判定し（ステップＳ２８）、通信部１１２が薬局端末１２から処方箋表示要求を受信するまで待機する（ステップＳ２８：ＮＯ）。
【００７９】
通信部１１２が薬局端末１２から患者識別情報２０１を含む処方箋表示要求を受信した場合（ステップＳ２８：ＹＥＳ）、制御部１１５は、記憶部１１４から、薬局端末１２から受信した患者識別情報２０１に対応付けられている文字情報または二次元バーコード情報を読み出す。ステップＳ２３において患者識別情報２０１と文字情報とが対応付けられた場合は、文字情報が読み出される。一方、ステップＳ２５において患者識別情報２０１と二次元バーコード情報とが対応付けられた場合は、二次元バーコード情報が読み出される。
【００８０】
そして、制御部１１５は、読み出した文字情報または二次元バーコード情報を薬局端末１２へ送信するように通信部１１２を制御する。これにより、通信部１１２は、文字情報または二次元バーコード情報を薬局端末１２へ送信する（ステップＳ２９）。
【００８１】
以上により、処方箋表示要求の送信元が読取部を備えているレセコンを設置している薬局の薬局端末１２である場合、その薬局端末１２には二次元バーコード情報が送信される。一方で、処方箋表示要求の送信元が読取部を備えていないレセコンを設置している薬局の薬局端末１２である場合、その薬局端末１２には文字情報が送信されることになる。
【００８２】
＜薬局端末の動作＞
次に、本発明の実施の形態に係る薬局端末１２の動作について、図８を用いて説明する。図８Ａは、読取部を備えていないレセコンを設置している薬局の薬局端末１２の動作の一例を示す図である。図８Ｂは、読取部を備えているレセコンを設置している薬局の薬局端末１２の動作の一例を示す図である。
【００８３】
まず、図８Ａについて説明する。
【００８４】
薬局端末１２の制御部１２５は、サーバ装置１１へのログインを要求する操作を入力部１２１が受け付けると、記憶部１２４から薬局識別情報２０４を読み出し、ログイン要求とともに薬局識別情報２０４をサーバ装置１１へ送信するように通信部１２２を制御する。これにより、通信部１２２は、ログイン要求とともに薬局識別情報２０４をサーバ装置１１へ送信する（ステップＳ３１）。
【００８５】
通信部１２２がサーバ装置１１から予約一覧画面情報（図７のステップＳ２７で説明した情報）を受信すると、制御部１２５は、その予約一覧画面情報に基づいて予約一覧画面を表示するように表示部１２３を制御する。これにより、表示部１２３は、予約一覧画面を表示する（ステップＳ３２）。上述したとおり、予約一覧画面とは、調剤の予約を行った来局予定の患者の一覧を示す画面である。
【００８６】
ここで、予約一覧画面の一例について、図９を用いて説明する。図９は、予約一覧画面の一例を示す図である。
【００８７】
図９に示すように、予約一覧画面には、薬局名３００、患者名３０１、受付状態３０２、受付日時３０３の情報や、表示指示ボタン３０４が表示される。
【００８８】
薬局名３００は、調剤の予約を受け付ける薬局の名称を示す情報である。
【００８９】
患者名３０１は、調剤の予約を行った患者の氏名を示す情報である。患者名３０１は、予約一覧画面情報に含まれる患者識別情報２０１ごとに表示される。
【００９０】
受付状態３０２は、薬局において調剤の予約が受け付けられた状態であるか否かを示す情報である。例えば、予約された調剤が完了している場合は「受付済」が表示され、予約された調剤が完了していない場合は「未受付」が表示される。薬剤師は、この受付状態３０２を見て、どの患者の調剤が完了していないかを把握することができる。
【００９１】
受付日時３０３は、薬局において調剤の予約が受け付けられた日時を示す情報である。なお、図９に示すように、受付状態３０２が「未受付」の場合、受付時刻３０３は表示されない。
【００９２】
表示指示ボタン３０４は、処方箋の表示を指示する操作を受け付けるボタンである。薬剤師は、予約された調剤を行う際、患者名３０１に対応する表示指示ボタン３０４の操作を行う。
【００９３】
なお、予約一覧画面情報には、上述した情報以外の情報が表示されてもよい。例えば、調剤を担当する薬剤師の氏名などが表示されてもよい。
【００９４】
以下、図８Ａの説明に戻る。
【００９５】
薬剤師により表示指示ボタン３０４の操作が行われると、制御部１２５は、処方箋表示要求とともに、操作された表示指示ボタン３０４に対応する患者識別情報２０１をサーバ装置１１へ送信するように通信部１２２を制御する。これにより、通信部１２２は、処方箋表示要求とともに患者識別情報２０１をサーバ装置１１へ送信する（ステップＳ３３）。
【００９６】
通信部１２２がサーバ装置１１から文字情報（図７のステップＳ２９で説明した情報）を受信すると、制御部１２５は、処方箋表示画面を表示するように表示部１２３を制御する。これにより、表示部１２３は、処方箋表示画面を表示する（ステップＳ３４）。ここでの処方箋表示画面は、サーバ装置１１から受信した文字情報（処方箋の内容を示す文字列）が表示される画面である。
【００９７】
ここで、処方箋表示画面の一例について、図１０を用いて説明する。図１０は、処方箋表示画面の一例を示す図である。
【００９８】
図１０に示すように、処方箋表示画面には、患者名４００、医療機関名４０１、処方日４０２、薬剤名４０３、服用量４０４、処方量４０５、服用方法４０６の情報が表示される。
【００９９】
患者名４００は、患者の氏名を示す情報である。例えば、薬剤師により操作された表示指示ボタン３０４に対応する患者名３０１が、患者名４００として表示される。
【０１００】
医療機関名４０１は、処方箋を発行した医療機関の名称を示す情報である。
【０１０１】
処方日４０２は、処方箋が発行された年月日を示す情報である。
【０１０２】
薬剤名４０３は、処方薬剤の名称を示す情報である。
【０１０３】
服用量４０４は、処方薬剤の１回あたりの服用量を示す情報である。
【０１０４】
処方量４０５は、処方薬剤の量を示す情報である。図１０の例では、処方量４０５は、処方薬剤の量が何日分であるかを示している。
【０１０５】
服用方法４０６は、処方薬剤の服用方法を示す情報である。
【０１０６】
以上、図１０および図８Ａについて説明した。
【０１０７】
次に、図８Ｂについて説明する。図８Ｂにおいて、ステップＳ３１〜Ｓ３３は、図８Ａと同じであるので、以下では、それらの説明を省略する。
【０１０８】
通信部１２２がサーバ装置１１から二次元バーコード情報（図７のステップＳ２９で説明した情報）を受信すると、制御部１２５は、二次元バーコード表示画面を表示するように表示部１２３を制御する。これにより、表示部１２３は、二次元バーコード表示画面を表示する（ステップＳ３５）。二次元バーコード表示画面とは、サーバ装置１１から受信した二次元バーコード情報が示す二次元バーコードが表示される画面である。
【０１０９】
ここで、二次元バーコード表示画面の一例について、図１１を用いて説明する。図１１は、二次元バーコード表示画面の一例を示す図である。
【０１１０】
図１１に示すように、二次元バーコード表示画面には、二次元バーコード５００と、二次元バーコード５００を読み取るように促すメッセージ５０１とが表示される。薬剤師は、レセコンの読取部を表示部１２３に近付けて、二次元バーコード５００を読み取る操作を行う。
【０１１１】
以下、図８Ｂの説明に戻る。
【０１１２】
レセコンの読取部が二次元バーコード５００を読み取ると（ステップＳ３６）、レセコンの制御部（図示略）は、二次元バーコード５００をデコードし、文字情報に変換する（ステップＳ３７）。そして、レセコンの制御部は、変換した文字情報をレセコンの記憶部（図示略）に記憶させる。
【０１１３】
次に、レセコンの制御部は、変換した文字情報に基づいて処方箋表示画面を表示するようにレセコンの表示部（図示略）を制御する。これにより、レセコンの表示部は、処方箋表示画面を表示する（ステップＳ３８）。ここでの処方箋表示画面は、二次元バーコード５００のデコードにより得られた文字情報（処方箋の内容を示す文字列）が表示される画面である。この処方箋表示画面は、図１０と同様であるので、その説明は省略する。
【０１１４】
＜実施の形態の作用効果＞
以上説明したように、本実施の形態によれば、以下の作用効果を奏する。
【０１１５】
本実施の形態によれば、サーバ装置は、処方箋の内容を示す文字情報を患者端末から受信し、文字情報を二次元バーコードに変換し、二次元バーコード情報を患者により指定された薬局の薬局端末へ送信する。そして、薬局端末は、二次元バーコードの表示を行う。そして、レセコンにおいて、その二次元バーコードの読み取りが行われた場合、二次元バーコードが文字情報に変換され、文字情報が表示される。このように、レセコンには、二次元バーコードの変換により得られた文字情報が表示されるため、薬剤師は、処方箋の内容を正確に把握できる。
【０１１６】
また、従来、薬剤師は、処方箋の内容をレセコンに記録する際、処方箋自体または処方箋の撮影画像（特許文献１参照）を見ながら処方箋の内容を手動で入力しなければならず、手間がかかったり、入力ミスが発生したりする、という問題があった。本実施の形態によれば、レセコンにおいて変換された文字情報が記憶部に記憶されるため、薬剤師は、処方箋の内容を手動で入力する必要がない。よって、手動入力による手間やミスを軽減できる。
【０１１７】
また、本実施の形態によれば、サーバ装置は、薬局リストに基づいて、二次元バーコードの読取部を備えているレセコンを設置している薬局の薬局端末に対しては二次元バーコード情報を送信し、二次元バーコードの読取部を備えていないレセコンを設置している薬局の薬局端末に対しては文字情報を送信する。よって、薬局のレセコンが二次元バーコードの読取部を備えているか否かに関わらず、薬局は、薬局端末またはレセコンのいずれかにおいて、処方箋の内容の表示を確認することができる。また、既存の二次元バーコードの読取部を用いることができるので、二次元バーコードの読取部を備えているレセコンを設置している薬局にとっては、読取部を導入するためのコストがかからない。また、既存の二次元バーコードの読取部の導入は安価であり、手間もかからないため、二次元バーコードの読取部を備えていないレセコンを設置している薬局に対し、二次元バーコードの読取部の導入を促進することができる。その結果、処方箋の内容を示す情報を含む二次元バーコードの普及を促進することができる。
【０１１８】
＜実施の形態の変形例＞
以上、本発明の実施の形態について説明したが、本発明は上記実施の形態に限定されるものではなく、種々の変形が可能である。以下、変形例について説明する。
【０１１９】
上記実施の形態では、薬局が薬局端末１２とそれとは別体のレセコンとを備える場合を例に挙げたが、薬局端末１２とレセコンとが同一の端末装置で構成されてもよい。この場合、同一の端末装置において、上述した薬局端末１２の機能と上述したレセコンの機能とが異なるソフトウェアにより実現される。この場合においても、同一の端末装置が二次元バーコードの読取部を備えることにより、従来の手入力作業の代わりに二次元バーコードの読み取りを容易に実現できる。
【０１２０】
また、上記実施の形態では、薬局リスト２０３に、二次元バーコードの読取部を備えているレセコンが設置された薬局を示す薬局識別情報２０４が登録される例を挙げたが、これに限定されない。例えば、薬局リスト２０３には、二次元バーコードの読取部を備えていないレセコンが設置された薬局を示す薬局識別情報２０４が登録されてもよい。サーバ装置１１は、患者端末１０から受信した薬局識別情報２０４が薬局リスト２０３に登録されている場合、患者端末１０から受信した文字情報、患者識別情報２０１、および薬局識別情報２０４を対応付けて記憶部１１４に記憶させる。これにより、二次元バーコードの読取部を備えていないレセコンが設置されている薬局の薬局端末１２に対しては、文字情報が送信されることになる。一方、患者端末１０から受信した薬局識別情報２０４が薬局リスト２０３に登録されていない場合、サーバ装置１１は、患者端末１０から受信した文字情報を二次元バーコードに変換し、変換した二次元バーコードを示す二次元バーコード情報、患者識別情報２０１、および薬局識別情報２０４を対応付けて記憶部１１４に記憶させる。これにより、二次元バーコードの読取部を備えているレセコンが設置されている薬局の薬局端末１２に対しては、二次元バーコード情報が送信されることになる。
【０１２１】
また、上記実施の形態では、薬局リストに記載される薬局は、医療機関が処方箋に二次元バーコードを記載して印刷するシステムに改修し対応する費用を負担した薬局であっても構わない。この場合、薬局にレセコンが設置してあるか否かは関係なく、処方箋に二次元バーコードを記載する為の改修費用を負担する動機のない医療機関に替わり、その費用を肩代わりし、薬剤師の入力の手間を削減するメリットを享受する薬局に対してのみ、その薬局端末に二次元バーコードを表示するとしてもよい。
【０１２２】
また、上記実施の形態では、サーバ装置１１は、患者端末１０から受信した薬局識別情報２０４が薬局リスト２０３に登録されている場合（図７のステップＳ２２：ＹＥＳ）、患者端末１０から受信した文字情報を二次元バーコードに変換する（図７のステップＳ２４）例を挙げたが、これに限定されない。例えば、サーバ装置１１は、図７に示したステップＳ２２、Ｓ２４、Ｓ２５の処理を行わなくてもよい。例えば、サーバ装置１１は、患者端末１０から文字情報、患者識別情報２０１、薬局識別情報２０４を受信した場合、それらを対応付けて記憶部１１４に記憶させ、薬局端末１２から処方箋表示要求を受信した場合、その薬局端末１２へ文字情報を送信してもよい。この場合、二次元バーコードの読取部を備えているレセコンを設置している薬局の薬局端末１２は、サーバ装置１１から受信した文字情報を二次元バーコードに変換し、その二次元バーコードの表示（例えば、図１１に示した二次元バーコード表示画面の表示）を行う。一方で、二次元バーコードの読取部を備えていないレセコンを設置されている薬局の薬局端末１２は、サーバ装置１１から受信した文字情報の表示（例えば、図１０に示した処方箋表示画面の表示）を行う。
【０１２３】
また、上記実施の形態では、サーバ装置１１は、二次元バーコードの読取部を備えているレセコンを設置している薬局の薬局端末１２から処方箋表示要求を受信した場合、その薬局端末１２に二次元バーコード情報を送信する例を挙げたが、これに限定されない。例えば、サーバ装置１１は、薬局端末１２から受信した文字情報と、その文字情報の変換により得られた二次元バーコードを示す二次元バーコード情報と、薬局端末１２から受信した患者識別情報２０１と、薬局端末１２から受信した薬局識別情報２０４とを対応付けて記憶部１１４に記憶させてもよい。そして、サーバ装置１１は、薬局端末１２から処方箋表示要求を受信した場合、その薬局端末１２へ、二次元バーコード情報とともに文字情報を送信してもよい。
【０１２４】
また、上記実施の形態では、患者端末１０が、処方箋に付された二次元バーコードを読み取り、その二次元バーコードを文字情報に変換する例を挙げたが、これに限定されない。例えば、患者端末１０は、処方箋を撮影し、撮影により得られた画像データを例えばＯＣＲ（Optical Character Recognition）により文字情報に変換してもよい。または、患者端末１０が上記画像データをサーバ装置１１へ送信し、サーバ装置１１がその画像データをＯＣＲにより文字情報に変換してもよい。あるいは、患者端末１０が上記画像データをサーバ装置１１へ送信し、サーバ装置１１がその画像データを記憶部１１４に記憶しておき、処方箋表示要求の送信元の薬局端末１２へ送信し、薬局端末１２がＯＣＲにより画像データを文字情報に変換してもよい。この場合、薬局端末１２を設置している薬局のレセコンは、二次元バーコードの読取部を備えていてもよいし、備えていなくてもよい。
【０１２５】
また、上記実施の形態では、薬局端末１２とは別の端末装置としてレセコンを例に挙げたが、これに限定されない。レセコンの代わりとして、例えば、薬歴管理システムなど別の目的のシステムとしてもよい。
【０１２６】
また、上記実施の形態で説明した患者端末１０、サーバ装置１１、および薬局端末１２の各機能は、コンピュータプログラムにより実現され得る。具体的には、コンピュータが備えるＣＰＵ（Central Processing Unit）が、記憶装置に記憶されたプログラムをＲＡＭ（Random Access Memory）にコピーし、そのプログラムに含まれる命令をＲＡＭから順次読み出して実行することにより、上述した各機能が実現される。
【産業上の利用可能性】
【０１２７】
本発明は、処方箋の表示を制御するサーバ装置、表示制御方法、および、表示制御プログラムに適用できる。
【符号の説明】
【０１２８】
１０  患者端末
１１  サーバ装置
１２  薬局端末
１０１、１２１  入力部
１０２、１１２、１２２  通信部
１０３、１２３  表示部
１０４、１１４、１２４  記憶部
１０５、１１５、１２５  制御部
１０６  撮像部
２０１  患者識別情報
２０２  専用アプリケーション
２０３  薬局リスト
２０４  薬局識別情報
３００  薬局名
３０１、４００  患者名
３０２  受付状態
３０３  受付日時
３０４  表示指示ボタン
４０１  医療機関名
４０２  処方日
４０３  薬剤名
４０４  服用量
４０５  処方量
４０６  服用方法
５００  二次元バーコード
５０１  メッセージ
【図１】
0006440569.tif 000002
【図２】
0006440569.tif 000003
【図３】
0006440569.tif 000004
【図４】
0006440569.tif 000005
【図５】
0006440569.tif 000006
【図６】
0006440569.tif 000007
【図７】
0006440569.tif 000008
【図８】
0006440569.tif 000009
【図９】
0006440569.tif 000010
【図１０】
0006440569.tif 000011
【図１１】
0006440569.tif 000012